(57)【要約】提案されたセンサシステムは、埋め込み可能なセンサ（１’）およびそれに連結されたユーザ装置を具備する。感受性のある液体はセンサ（１’）に入れられ、その中にグルコースが浸透することができる。感受性のある液体とグルコースとから構成される混合物の粘度が測定される。ユーザ装置は、測定およびその評価はユーザ装置を制御し、皮膚の外部に着用された携帯用装置から構成される。センサ（１’）に配置され同様にセンサ（１’）に配置された駆動磁石（２４）によって駆動されることができる測定要素（３５）の回転に基づいて粘度が測定される。測定要素（３５）の回転は、駆動磁石（２４）の切断後に減衰ふるまいに基づいて分析される。第二の好適な実施の形態の場合には、センサに配置され同様にセンサに配置された磁石によって振動するように励起されることができる振動要素の振動ふるまいに基づいて粘度が測定される。振動ふるまいは、磁石の切断後に振動要素の減衰ふるまいに基づいて分析される。
2006503678.tif 000002
【特許請求の範囲】
【請求項１】
埋め込み可能なセンサ（１、１’）およびそれに連結されたユーザ装置（Ｂ）を具備する血液中のグルコース濃度を決定するためのセンサシステムであって、前記センサ（１、１’）は、感受性のある液体を含有するアンプルの形態であり、その中にグルコースが浸透することができ、前記感受性のある液体と前記グルコースとから構成される混合物の粘度が測定され、前記ユーザ装置（Ｂ）は、皮膚の外部に着用された携帯用装置から構成され、測定およびその評価は前記ユーザ装置（Ｂ）によって制御されることを特徴とするセンサシステム。
【請求項２】
前記センサ（１）に配置され振動磁場によって振動するように励起されることができる振動要素（８）の振動ふるまいに基づいて粘度が測定されることを特徴とする請求項１記載のセンサシステム。
【請求項３】
前記振動要素（８）の前記振動ふるまいは、磁石（６）の切断後の減衰ふるまいに基づいて分析され、前記振動要素（８）自体は、前記ユーザ装置によって測定される磁場を生成することを特徴とする請求項２記載のセンサシステム。
【請求項４】
前記振動要素は、前記センサ（１）内の前記液体をさらに均質化することを特徴とする請求項２または３に記載のセンサシステム。
【請求項５】
前記振動要素（８）は、前記磁石（６）に確実に結合され、曲げバーから構成されることを特徴とする請求項４記載のセンサシステム。
【請求項６】
前記磁石（６）は、前記曲げバーの二つの端の一方に取り付けられ、磁場（１３）によって振動させることができることを特徴とする請求項５記載のセンサシステム。
【請求項７】
前記磁場（１３）は、前記ユーザ装置（Ｂ）に設けられた電磁気配列によって、または、前記センサ（１）に設けられた電気コイルによって、生成されることを特徴とする請求項６記載のセンサシステム。
【請求項８】
前記センサ（１）は、グルコースによる浸透を可能にする半透性壁（２）を具備することを特徴とする請求項２から７のいずれか１項に記載のセンサシステム。
【請求項９】
プラスチック部分（３）であって、前記センサ（１）に配置され、それを部分的に満たし、したがって液体容量を限定し、且つ、前記振動要素（８）用のサポートとして設計され、細長い内腔（５）を有し、その中に、前記磁石（６）に配置され前記液体を一緒に混合するために設けられたアーム（１１）が突出するプラスチック部分（３）を特徴とする請求項２から８のいずれか１項に記載のセンサシステム。
【請求項１０】
前記電磁気配列は、前記センサ（１）の前記磁石（６）を励起するための手段と、この磁石によって生成された磁場用の磁場センサと、を含むことを特徴とする請求項７記載のセンサシステム。
【請求項１１】
前記手段および前記磁場センサは、磁石（１２）およびそれを励起するためのコイル（１４）と、前記コイル（１４）に接続されたマイクロプロセッサ（１５）と、から構成されることを特徴とする請求項１０記載のセンサシステム。
【請求項１２】
前記センサ（１’）に配置され同様に前記センサ（１’）に配置された駆動磁石（２４）によって駆動されることができる測定要素（３５）の回転に基づいて粘度が測定されることを特徴とする請求項１記載のセンサシステム。
【請求項１３】
前記測定要素（３５）の回転は、前記駆動磁石（２４）の切断後の減衰ふるまいに基づいて分析されることを特徴とする請求項１２記載のセンサシステム。
【請求項１４】
前記センサ（１’）は、二段階構造物であり、ヘッド部分（２０）および測定部分（２１）を有し、前記ヘッド部分（２０）は前記駆動磁石（２４）を含み、前記測定部分（２１）は前記測定要素（３５）を含み、前記駆動磁石（２４）はケーシング（２３）内に配置され、前記液体に対してシールドされるようにすることを特徴とする請求項１３記載のセンサシステム。
【請求項１５】
前記ヘッド部分（２０）と前記測定部分（２１）との間に基準部分（２２）が設けられ、後者の二つの部分を結合し、これは、液体に対して封止され且つ回転可能に装着された基準要素（２８）および前記感受性のある液体を含むチャンバ（２７）を具備することを特徴とする請求項１４記載のセンサシステム。
【請求項１６】
前記ヘッド部分（２０）および前記測定部分（２１）は、各々が円筒形形態であり、前記ヘッド部分（２０）の直径は前記測定部分（２１）の直径よりも大きいことを特徴とする請求項１４または１５に記載のセンサシステム。
【請求項１７】
前記基準部分（２２）は円錐台の形態を有し、前記基準要素（２８）および前記測定要素（３５）は細長い円筒形として設計されることを特徴とする請求項１５または１６に記載のセンサシステム。
【請求項１８】
前記測定部分（２１）は、ウインドウ型開口（３６）を具備し且つグルコースによる浸透を可能にする半透性フィルム（３７）と内部で一列に並べられる細長いケーシング（３４）として設計されることを特徴とする請求項１７記載のセンサシステム。
【請求項１９】
前記駆動磁石（２４）は、前記ユーザ装置（Ｂ）に設けられた電磁気配列によって生成される磁場によって回転させられることができることを特徴とする請求項１８記載のセンサシステム。
【請求項２０】
前記測定要素（３５）は、それぞれ、前記駆動磁石（２４）と前記基準要素（２８）との間の、および、前記基準要素（２８）と前記測定要素（３５）との間の、磁気結合（２９、３１；３０、３８）を経由して駆動されることを特徴とする請求項１９記載のセンサシステム。
【請求項２１】
前記基準要素（２８）と前記測定要素（３５）との間の前記磁気結合（３０、３８）は、前記測定要素（３５）が一定の限界回転周波数に対してのみ結合回転をもたらすような設計であることを特徴とする請求項２０記載のセンサシステム。
【請求項２２】
前記駆動磁石（２４）の駆動の切断後に、もっぱら前記基準部分（２２）の前記チャンバ（２７）の前記感受性のある液体の粘度によって、前記限界回転周波数より上に、且つ、前記測定部分（２１）の前記ケーシング（３４）内の感受性のある液体およびグルコースから構成される混合物の粘度によって、限界回転周波数より下に、その回転の減衰が決定されることを特徴とする請求項２１記載のセンサシステム。
【請求項２３】
グルコース濃度の値は、温度に依存せず、限界回転周波数より上および下の二つの粘度値に基づいて決定されることを特徴とする請求項２２記載のセンサシステム。
【発明の詳細な説明】
【技術分野】
【０００１】
本発明の主題は、埋め込み可能なセンサによって血糖値を測定することである。糖尿病は、もっとも一般的な慢性疾患の一つである。これは、米国人口の約８％を冒しており、人口における体重超過が増加しているため、この数字は毎年増加している。世界的に、２０２５年までには約三億人の糖尿病患者がいると予想される。糖尿病が何年にもわたって不適切に治療されている場合には、心臓麻痺、脳梗塞、下肢の血流障害、腎障害および失明、さらに、結果として足または脚の切断になる可能性がある神経伝導障害の高いリスクがある。このようにして、糖尿病は、全保健サービスコストの１０％を占める。
【背景技術】
【０００２】
たとえば、糖尿病制御および合併症試験（Ｄｉａｂｅｔｅｓ  Ｃｏｎｔｒｏｌ  ａｎｄ  Ｃｏｍｐｌｉｃａｔｉｏｎ  Ｔｒｉａｌ）（ＤＣＣＴ）およびＵＫ将来的糖尿病研究（ＵＫＰＤＳ）等の様々な研究によって、長期的合併症のリスクを血糖値の改良された調節によって減少することができることを実証することが可能である。血糖値を下げるために様々な種類の治療を行うことができ、すなわち、適合された食餌、身体活動、錠剤およびインスリンである。それぞれの治療の効能をチェックする際の必須要素は、血糖値のセルフモニタリングである。すべてのインスリン依存性糖尿病患者（１型）および一部の非インスリン依存性糖尿病患者（２型）は、一日に数回自分の血糖値を測定しなければならない。今まで、これは、指の先端を刺して、少量の血液を検査ストリップに加え、それを読取装置に挿入することによって行われてきた。セルフモニタリングのこの方法は、痛みを伴い且つコストがかかる。したがって、何年もの間、血糖値を連続して測定するための痛みのない方法を開発することが求められてきた。できるだけ多くの血糖値測定によって、医師および患者が日常的に治療に順応しこれを改良することが可能になり、その結果として、長期的合併症のリスクおよびその結果のコストを減少することができる。
【０００３】
本発明は、血液中のグルコース濃度を決定するためのセンサシステムに関し、埋め込み可能なセンサとそれに連結されたユーザ装置とを具備する。
【０００４】
針を有する埋め込み可能なセンサを備えた経皮的なシステムが業界では公知であり、それは、絶縁体によって分離される二つの異なる金属を具備し、そのため、電位を加えることができる。センサはモニタに接続され、これは、最大三日間にわたってグルコース値を五分ごとに記録する。センサはあまり安定しておらず、結果は、一日数回患者の血液でキャリブレーションを行う必要があるということである。
【０００５】
グルコース含有量を測定するために、現在市場に出ている別の測定システムの場合には、グルコースは、電流パルスによって皮膚を通って引かれ、センサの二つのゲルディスクに集められ、それはグルコース含有量を測定する。センサは、ウォッチ型のディスプレイ装置の背部に配置され、いわゆる最小侵襲的システムであり、すなわち、何かを皮膚に加えるか、または小型カニューレを皮膚内に挿入するか、のいずれかが必要であるシステムであり、その結果として、感染のリスクを除外することができない。この理由のため、この侵襲的システムの場合には、数日ごとにセンサを変える必要があり、それに加えて、このシステムは同様に、患者の血液でキャリブレーションを必要とする。上述の公知のシステムの両方もまた、ホルターシステムと称され、すなわち、患者自身ではなく、医師が加えるシステムである。
【発明の開示】
【発明が解決しようとする課題】
【０００６】
本発明の目的は、センサの埋め込み後すぐに診療行為を繰り返す必要がなく、または、感染のリスクの構成要素となる患者の皮膚にまたは皮膚内で操作を行う必要がなく、患者によって適用されることが適切であり且つ患者が自分の血液のグルコース含有量を連続してモニタすることが可能であるセンサシステムを開示することである。
【課題を解決するための手段】
【０００７】
設定された目的は、本発明にしたがって達成され、センサは、感受性のある液体を含有するアンプルの形態であり、その中にグルコースが浸透することができ、感受性のある液体とグルコースとから構成される混合物の粘度が測定され、ユーザ装置は、皮膚の外部に着用された携帯用装置から構成され、測定およびその評価はユーザ装置によって制御される。
【０００８】
本発明によるセンサシステムの場合には、ユーザ装置は、皮膚にまたは皮膚内にどんなものであれ操作を行わず、したがって、炎症または感染のいずれのリスクを除外する。センサは、再キャリブレーション等を必要とせずに少なくとも数ヶ月埋め込まれていることが可能であり、患者は、血液を引き出す不便さなしで済ませる。患者は、いずれの種類の不快を伴わずに、いつでも自分の血液のグルコース含有量をチェックすることができ、医師の監督を必要とせずに適切な薬剤を取ることによってこのグルコース含有量を規制することができる。
【０００９】
本発明によるセンサシステムの第一の好適な実施の形態は、センサに配置され振動磁場によって振動するように励起されることができる振動要素の振動ふるまいに基づいて粘度が測定されることを特徴とする。振動要素の振動ふるまいは、磁石の切断後の減衰ふるまいに基づいて分析され、振動要素自体は、ユーザ装置によって測定される磁場を生成する。
【００１０】
本発明によるセンサシステムのこの第一の好適な実施の形態の有利な展開は、請求項４から１２に開示されている。
【００１１】
本発明によるセンサシステムの第二の好適な実施の形態は、センサに配置され同様にセンサに配置された駆動磁石によって駆動されることができる測定要素の回転に基づいて粘度が測定されることを特徴とする。測定要素の回転は、駆動磁石の切断後に減衰ふるまいに基づいて分析されることが好ましい。
【００１２】
センサは、二段階構造物であることが好ましく、ヘッド部分および測定部分を有し、ヘッド部分は駆動磁石を含み、測定部分は測定要素を含み、駆動磁石はケーシング内に配置され、液体に対してシールドされるようにする。
【００１３】
本発明によるセンサシステムの第三の好適な実施の形態は、ヘッド部分と測定部分との間に基準部分が設けられ、後者の二つの部分を結合し、これは、液体に対して封止され且つ回転可能に装着された基準要素および上記感受性のある液体を含むチャンバを具備することを特徴とする。基準部分は、測定の精度を上げ、測定結果における温度変化の影響を減少する。
【００１４】
第二および／または第三の好適な実施の形態の有利な展開は、請求項１６から２３に開示されている。
【００１５】
本発明は、模範的な実施の形態および図面を参照して下記により完全に説明される。
【発明を実施するための最良の形態】
【００１６】
図１から３に表されたセンサ１の第一の模範的な実施の形態は、直径２ｍｍおよび長さ８ｍｍの概算寸法を有する細長いアンプルの形態を有し、これらの値は、広い範囲内で変動可能である。センサ１のシェル２は、セルロースから作られる半透性壁から構成され、それを通ってグルコースがアンプル内に浸透することができる。センサ１の内部の大半は、円筒形のプラスチック部分３によって占められ、これは、その円周表面に突出する数本のリブ４によってセンサ１の中心に置かれ、軸方向内腔５を有する。プラスチック部分は、たとえば、ポリカーボネートから作られた射出成形部分であり、下記により完全に説明されるように、振動要素を支持し且つセンサ１内の液体容量を減少するように作用する。操作の準備ができたときには、センサは、高分子量を有する感受性のある液体、たとえば、デキストランおよびコンカナバリンＡ（ＣｏｎＡ）等で満たされる。
【００１７】
図１および２において、センサ１に隣接してプラスチック部分３の右手端があり、センサ１内に永久磁石６が配置され、これは、腐食を防止するために、ポリカーボネート製のプラスチックコーティング７で上塗りされる。図１および２において、プラスチックコーティング７、センサ１のシェル２およびプラスチック部分３は、プラスチック部分３の内部を見るために、部分的に開口されている。プラスチックコーティング７は、たとえば、酸化アルミニウムセラミックから作られた曲げバー８を支持するように作用し、これは、プラスチック部分３に沿って延在する。プラスチック部分３は、曲げバー８の領域で平らにされ（図３）、この場所で薄いストリップの形態の基部基板９を有する。曲げバー８の自由端と基部基板９との間にスペーサー１０が設けられ、その厚さは、曲げバーの十分に大きな振動振幅が可能であるように選択され、約１００μｍである。
【００１８】
曲げバー８、基部基板９およびスペーサー１０は、同一の材料から作られ、ラミネートの層を重ね合わせ、その後、圧縮することによって作られる。プラスチック部分３に向かって面する端面で、プラスチックコーティング７は、狭い細長いアーム１１を支持し、これは、プラスチック部分３の内腔５内に突出する。永久磁石６が外部の振動磁場によって励起されるときには、これは振動し、磁石６の振動で、プラスチックコーティング７、曲げバー８およびアーム１１も振動する。これらの振動の結果として、センサ１に存在する感受性のある液体がセンサ１に入ったグルコースと混合されることになる。この場合、アーム１１の振動は、迅速な測定のために非常に重要であるが、それは、これがセンサ１内の流れを刺激し、センサに均質なグルコース濃度を提供するからである。
【００１９】
磁石６を励起する磁場の周波数は、磁石６が１００から３００Ｈｚの範囲の周波数で振動するように選択される。曲げバー８およびアーム１１は同一の周波数で振動し、振動振幅は約１００μｍすなわち０．１ｍｍである。感受性のある液体とグルコースとを一緒に混合した後に、磁場は切断され、振動減衰時間が測定され、これは、曲げバー８と一緒に振動する磁石６によって生成された磁場によって行われる。
【００２０】
生理食塩水のデキストランおよびコンカナバリンＡの粘度の変化は、グルコース濃度の関数として、Ｒ．Ｅｈｗａｌｄら、「粘性親和力アッセイ（Ｖｉｓｃｏｓｉｍｅｔｒｉｃ  ａｆｆｉｎｉｔｙ  ａｓｓａｙ）」、Ａｎａｌ  Ｂｉｏｃｈｅｍ  ２３４、１（１９９６）およびＵ．Ｂｅｙｅｒ「粘性親和力センサによって皮下グルコース動力の記録（Ｒｅｃｏｒｄｉｎｇ  ｏｆ  ｓｕｂｃｕｔａｎｅｏｕｓ  ｇｌｕｃｏｓｅ  ｄｙｎａｍｉｃｓ  ｂｙ  ａ  ｖｉｓｃｏｓｉｍｅｔｒｉｃ  ａｆｆｉｎｉｔｙ  ｓｅｎｓｏｒ）」、Ｄｉａｂｅｔｏｌｏｇｉａ  ４４、４１６（２００１）に記載されている。その中に記載されている溶液は、数種類の構成要素から構成されているシステムを通って感受性のある液体が循環することに基づいている。本発明によるシステムの場合には、粘度は、センサ１に入れられた感受性のある液体の容量において直接測定され、センサは、長手方向に体表面に対して垂直に、皮膚の下に埋め込まれており、そのため、図１および２において平らで右手端であるセンサ１の端は、皮膚の下約２ｍｍにある。埋め込みは、注射針によってたとえばウエストレベルに行われる。
【００２１】
図４は、基準Ｂによって示されるユーザ装置のブロック図である。この装置は、特に、アンプル１（図１）内で磁石６を励起するために磁場１３を生成するための磁石１２と、磁石１２を励起するためのコイル１４と、を含み、これらは同時に、センサ１の磁石６によって生成された磁場を検出するために磁場センサとして作用し、さらにマイクロプロセッサ１５を含む。コイル１４は、受信増幅器１６と送信増幅器１７との両方に接続され、そのそれぞれの出力および入力は、マイクロプロセッサ１５へルートづけられる。マイクロプロセッサ１５は、さらに、現在測定されたグルコース値用にディスプレイ１８に接続され、グルコース値を格納するためにメモリ１９に接続される。ユーザ装置Ｂはまた、図示されていない電力供給装置も含む。ユーザ装置Ｂをセンサ１に対して正確に位置決め（標準化）するために、追加の磁場センサ、たとえば、ホールセンサが、任意に設けられてもよい。
【００２２】
ユーザ装置Ｂの励起および検出機能のための別の可能な解決法は、回転する双極子に基づいており、曲げバー８の振動は、二つの永久磁石を有するハードディスクモータによって外的に励起され、オシレータ（曲げバー８プラス磁石６）の性能係数は、モータ減衰量の分析によって決定される。
【００２３】
図５および６に表されるセンサ１’は同様に、細長いアンプルの形態を有する。これは、感受性のある液体およびグルコースから構成される混合物の粘度を測定する方法において、図１から３に表されたセンサ１とは実質的に異なる。センサ１の場合には、粘度は、振動要素の振動ふるまいに基づいて測定され、一方、第二のセンサ１’の場合には、測定要素の回転ふるまいに基づいて測定される。この場合、原則として、磁石の切断後の減衰ふるまいに基づいて測定要素の回転ふるまいを分析することが十分である。しかし、二つの構成要素が使用され、一方が感受性のある液体およびグルコースから構成される混合物内を回転し他方が基準液体内を回転する場合には、測定結果はより正確になる。基準液体は感受性のある液体から構成されることが好ましい。
【００２４】
図５および６によると、センサ１’は、形態的に回転対称であり、円筒形ヘッド部分２０と、ヘッド部分２０よりも直径が小さい円筒形測定部分２１と、ヘッド部分２０と測定部分２１とを結合する円錐形基準部分２２と、から構成される。ヘッド部分２０は、およそ２．５ｍｍの直径およびおよそ３ｍｍの長さを有し、測定部分２１は、およそ０．６ｍｍの直径およびおよそ６ｍｍの長さを有し、基準部分２２は同様に、およそ６ｍｍの長さを有する。ヘッド部分２０は、気密ケーシング２３から構成され、その中に駆動磁石２４が装着される。駆動磁石２４は、二つの軸受２５に機械的に支持され、そのうちの、基準部分２２に装着された前部軸受のみが、図５で見られる。後部軸受２５は、駆動磁石２４によって隠されており、ケーシング２３に装着される。
【００２５】
基準部分２２は、円錐台の形態のケーシング２６を具備し、これは、軸方向内腔を有し、その中に、気密な円筒形基準チャンバ２７が配置される。円錐台の形態のケーシング２６は、そのより厚い端でヘッド部分２０に結合され、そのより薄い端で測定部分２１に結合される。基準チャンバ２７内に、図１から３の説明で述べられた、高分子量を有する感受性のある液体から構成されることが好ましい基準液体がある。基準チャンバ２７にはまた、回転可能に装着された円筒形基準要素２８がある。
【００２６】
各端で、基準要素２８は、磁石端部分２９および３０を担持し、その端部分２９は、駆動磁石２４と、且つ、それから突出する二つの永久磁石３１と、磁気結合を形成し、端部分３０は測定部分２１と磁気結合を形成する。二つの磁石端部分２９および３０の間に、基準要素２８は、ケーシング２６内に配置され基準チャンバ２７を取り囲む環状磁石３３の水準に位置する永久磁石３２をさらに担持する。環状磁石３３および永久磁石３２は、基準要素２８をその回転軸に安定するように作用する。この安定化は、軸の機械的な位置決めによっても達成されることができる。
【００２７】
測定部分２１は、円筒形ケーシング３４を具備し、これは、一方の端で基準部分２２に取り付けられ、他方の端で閉鎖部分４１を担持する。ケーシング３４は、上記感受性のある液体を含有する測定チャンバを形成し、加えて、その中に円筒形測定要素３５が回転可能に装着される。ケーシング３４の円周表面には、長手方向ウインドウ３６が設けられており、セルロースから作られた半透膜３７と内部で一列に並べられ、それを通ってグルコースは測定チャンバ内に浸透することができる。測定要素３５の回転は、測定チャンバに存在する感受性のある液体を、測定チャンバに入ったグルコースと混合させ、結果として測定チャンバ内で均質なグルコース濃度になる。
【００２８】
測定要素３５は、その端で、磁石端部分３８および３９をそれぞれ担持し、基準要素２８に隣接する端部分３８は、基準要素２８との磁気結合をもたらし、したがって、測定要素３５を駆動するように作用する。他方の端部分３９は、永久磁石４０と磁気結合を形成し、これは、ケーシング３４の自由端で固定され、測定要素３５を回転軸に安定させるように作用する。参照符号４１は、センサの測定部分２１の円錐形の閉鎖部分を示す。
【００２９】
図５および６に表されたセンサの第二の模範的な実施の形態のユーザ装置は、図４に表されたユーザ装置Ｂと実質的に同一の構造であるが、主に、駆動磁石２４を回転させる回転場を生成するために数個のコイルを含有する点が、ユーザ装置Ｂとは異なる。同様に、ユーザ装置は、数個の磁場センサを具備し、これは、回転磁場の切断後に、駆動磁石２４の回転を測定する。
【００３０】
駆動磁石２４は、磁石３１および２９を経由して、基準要素２８を駆動し、基準要素２８は、磁石３０および３８を経由して、測定要素３５を駆動する。測定要素３５および基準要素２８は、ケーシング２７および３４内で回転し、その両方は、高分子量を有する同一の感受性のある液体を含有する。基準要素２８を有するケーシング２７は気密式に封止され、測定要素３５を有するケーシング３４は、半透膜３７で封止され、それを通ってグルコースが測定チャンバ内に浸透することができる。基準要素２８（永久磁石３０）と測定要素３５（永久磁石３８）との間の磁気結合は、測定要素３５が限界回転周波数に対してのみ結合回転をもたらす。
【００３１】
この限界周波数より上で、システムは、回転磁場の切断時に駆動磁石２４の回転の減衰に基づいてケーシング２７の液体の粘度を測定し、この液体はもっぱら上記感受性のある液体である。限界周波数より下で、回転磁場の切断時に駆動磁石２４の回転の減衰は、測定チャンバ（ケーシング３４）内で、感受性のある液体およびグルコースから構成される液体混合物の粘度によって決定される。この情報に基づいて決定されたグルコース濃度は、温度に依存せず、これは、基準測定のないシステムに対して実質的な利点を構成する。
【００３２】
この利点が必要ではないかまたは必須ではない場合には、図５および６に表されたセンサは、基準部分２２を省略することによって簡略化されてもよい。この場合、駆動磁石は、永久磁石３１および３８を経由して、測定要素３５を直接駆動する。
【００３３】
図１から３に表されたセンサ１は、比較的簡単な修正によって、ホルターシステムとしての用途用に適応されてもよく、その中で、グルコース含有量は、数日間の期間にわたって医師の管理下で連続してモニタされる。この用途の場合、センサ１の磁石６を励起する磁場が、外部磁石１２によってではなく、センサ１の内部に配置された電流コイルによって生成され、二本の薄い電線が、上記電流コイルから、患者の皮膚を通ってユーザ装置へ外向きに進む。上記電流コイルは、スペーサー１０（図１）の領域に配置されることが好ましい。電流コイルから磁石６への十分な磁束を確実にするために、曲げバー８および基部基板９は、磁気的にソフトな材料から作られている。同一のことが、図５および６に表されたセンサ１’にも適用され、同様に、駆動磁石２４を励起するための電流コイルをケーシング２３の内部に配置することができる。
【図面の簡単な説明】
【００３４】
【図１】本発明によるセンサシステムの部分的に開口したセンサの第一の模範的な実施の形態の斜視図である。
【図２】本発明によるセンサシステムの部分的に開口したセンサの第一の模範的な実施の形態の斜視図である。
【図３】図１、２のセンサを通る断面図である。
【図４】本発明によるセンサシステムのユーザ装置のブロック図である。
【図５】本発明によるセンサシステムの部分的に開口したセンサの第二の模範的な実施の形態の斜視図である。
【図６】図５のセンサの閉鎖した状態の斜視図である。
【図１】
2006503678.tif 000003
【図２】
2006503678.tif 000004
【図３】
2006503678.tif 000005
【図４】
2006503678.tif 000006
【図５】
2006503678.tif 000007
【図６】
2006503678.tif 000008
【国際調査報告】
2006503678.tif 000009
2006503678.tif 000010
2006503678.tif 000011
2006503678.tif 000012
2006503678.tif 000013
2006503678.tif 000014
2006503678.tif 000015
2006503678.tif 000016
2006503678.tif 000017